(57)【要約】【課題】オーバーフローによる画質劣化及び高速読出実現によるコスト上昇を抑えることができるＸ線ＣＴ装置を提供する。【解決手段】Ｘ線ＣＴ装置１において、被検体Ｍに対してＸ線を照射するＸ線照射装置３ｃと、Ｘ線を検出する複数のＸ線検出素子を格子状に配列したものであって被検体Ｍを透過したＸ線量を検出するＸ線検出装置３ｅと、Ｘ線照射装置３ｃとＸ線検出装置３ｅとを被検体Ｍを間にして回転させ、被検体Ｍに対する投影角度を変える回転機構３ａ、３ｂと、Ｘ線量に基づいて異なる投影角度に対応するＸ線投影データを収集するものであり、投影角度が変わるごとにＸ線検出素子の検出素子群を変えてＸ線透過データを収集するデータ収集装置３ｆとを備える。【選択図】図１
2010115350.tif 000002
【特許請求の範囲】
【請求項１】
被検体に対してＸ線を照射するＸ線照射手段と、
Ｘ線を検出する複数のＸ線検出素子を格子状に配列したものであって、前記被検体を透過したＸ線量を検出するＸ線検出手段と、
前記Ｘ線照射手段と前記Ｘ線検出手段とを前記被検体を間にして回転させ、前記被検体に対する投影角度を変える回転機構と、
前記Ｘ線量に基づいて異なる投影角度に対応するＸ線投影データを収集するものであり、前記投影角度が変わるごとに前記Ｘ線検出素子の検出素子群を変えてＸ線投影データを収集するデータ収集手段と、
を備えることを特徴とするＸ線ＣＴ装置。
【請求項２】
前記データ収集手段は、前記検出素子群として、前記Ｘ線検出手段における奇数列の前記Ｘ線検出素子の集合を第１群とし、前記Ｘ線検出手段における偶数列の前記Ｘ線検出素子の集合を第２群とし、前記投影角度が変わるごとに、前記第１群と前記第２群とを交互に変えることを特徴とする請求項１記載のＸ線ＣＴ装置。
【請求項３】
前記データ収集手段は、前記検出素子群として、前記Ｘ線検出手段における奇数列で偶数チャンネルの前記Ｘ線検出素子及び偶数列で奇数チャンネルの前記Ｘ線検出素子の集合を第１群とし、前記Ｘ線検出手段における奇数列で奇数チャンネルの前記Ｘ線検出素子及び偶数列で偶数チャンネルの集合を第２群とし、前記投影角度が変わるごとに、前記第１群と前記第２群とを交互に変えることを特徴とする請求項１記載のＸ線ＣＴ装置。
【請求項４】
読出対象の前記Ｘ線検出素子から読み出された前記Ｘ線量を用いて、非読出対象の前記Ｘ線検出素子に対応する前記Ｘ線量を補間する手段を備えることを特徴とする請求項１ないし３のいずれか一に記載のＸ線ＣＴ装置。
【請求項５】
前記補間する手段は、同じ読出タイミングで読み出した前記Ｘ線量を用いることを特徴とする請求項４記載のＸ線ＣＴ装置。
【請求項６】
前記補間する手段は、異なる読出タイミングで読み出した前記Ｘ線量を用いることを特徴とする請求項４記載のＸ線ＣＴ装置。
【請求項７】
前記補間する手段は、前記Ｘ線検出手段に対する前記Ｘ線照射手段の照射位置を同じにして前記異なる読出タイミングで読み出した前記Ｘ線量を用いることを特徴とする請求項６記載のＸ線ＣＴ装置。
【発明の詳細な説明】
【技術分野】
【０００１】
本発明は、Ｘ線ＣＴ装置に関する。
【背景技術】
【０００２】
Ｘ線ＣＴ装置（Ｘ線コンピュータ断層撮影装置）は、Ｘ線照射装置により患者などの被検体に対してＸ線を照射し、Ｘ線検出装置により被検体を透過したＸ線量を検出し、検出したＸ線量に基づくＸ線透過データをデータ収集装置により収集し、収集したＸ線透過データに対して再構成処理を行って被検体の断面画像（スライス画像）を取得する装置である。このＸ線ＣＴ装置では、例えば、被検体が寝る寝台を固定して撮像を行うコンベンショナルスキャンやその寝台を移動させながら撮像を行うヘリカルスキャンなどが行われている。
【０００３】
このようなＸ線ＣＴ装置の中には、被検体を間にしてＸ線照射装置とＸ線検出装置を対向配置し、これらを被検体の周りに３６０度あるいは１８０度＋ファン角にわたって回転させながら、Ｘ線照射装置からファンビーム形状のＸ線を被検体に照射し、複数のＸ線検出素子が格子状に配列された多列多チャンネルのＸ線検出装置により、被検体を透過したＸ線量を検出するマルチスライス型のＸ線ＣＴ装置が提案されている（例えば、特許文献１参照）。このマルチスライス型のＸ線ＣＴ装置は、被検体の体軸方向に並ぶ複数列の断面画像を同時に取得することができる。
【特許文献１】特開平１１−２０６７５１号公報
【発明の開示】
【発明が解決しようとする課題】
【０００４】
しかしながら、高精細化に伴う列数の増大やスキャン速度の高速化などが進むにつれ、データ収集装置により一度に処理を行う検出素子数が飛躍的に増大しており、データ収集装置の高速読み出しに限界がきている。このため、データ収集装置の読み出し間隔（サンプリング間隔）を短く設定しても、スキャンの際にオーバーフローが発生し、有効ビット数が減少するため、画質が劣化してしまう。また、データ収集装置の高速読み出しを実現するために、より高速処理可能なＡＤＣ（アナログデジタル変換器）などの高価なチップを多用すると、コストが上昇してしまう。
【０００５】
本発明は上記に鑑みてなされたものであり、その目的は、オーバーフローによる画質劣化及び高速読出実現によるコスト上昇を抑えることができるＸ線ＣＴ装置を提供することである。
【課題を解決するための手段】
【０００６】
請求項１記載の発明の特徴は、Ｘ線ＣＴ装置において、被検体に対してＸ線を照射するＸ線照射手段と、Ｘ線を検出する複数のＸ線検出素子を格子状に配列したものであって、被検体を透過したＸ線量を検出するＸ線検出手段と、Ｘ線照射手段とＸ線検出手段とを被検体を間にして回転させ、被検体に対する投影角度を変える回転機構と、Ｘ線量に基づいて異なる投影角度に対応するＸ線投影データを収集するものであり、投影角度が変わるごとにＸ線検出素子の検出素子群を変えてＸ線投影データを収集するデータ収集手段とを備えることである。
【発明の効果】
【０００７】
本発明によれば、オーバーフローによる画質劣化及び高速読出実現によるコスト上昇を抑えることができる。
【発明を実施するための最良の形態】
【０００８】
本発明の実施の一形態について図面を参照して説明する。
【０００９】
図１に示すように、本発明の実施の形態に係るＸ線ＣＴ装置（Ｘ線コンピュータ断層撮影装置）１は、患者などの被検体Ｍが載置される寝台２と、その寝台２上の被検体Ｍに対して医用画像を撮影する撮影動作を行う撮影装置３と、その撮影装置３の駆動を制御する制御装置４とを備えている。このＸ線ＣＴ装置１は、撮影装置３により寝台２上の被検体Ｍを断層撮影する装置である。
【００１０】
寝台２は、被検体Ｍが載置される天板２ａと、その天板２ａを支持して水平方向及び鉛直方向に移動させる天板駆動部２ｂとを備えている。この寝台２は、天板駆動部２ｂにより天板２ａを移動させ、天板２ａ上の被検体Ｍを所定の位置に位置付ける。
【００１１】
撮影装置３は、その筐体内に回転可能に設けられた回転枠３ａと、その回転枠３ａを回転させる回転駆動部３ｂと、回転枠３ａに設けられＸ線を照射するＸ線照射装置３ｃと、そのＸ線照射装置３ｃに高電圧を供給する高電圧発生部３ｄと、Ｘ線照射装置３ｃにより照射されたＸ線を検出するＸ線検出装置３ｅと、そのＸ線検出装置３ｅにより検出されたＸ線をＸ線透過データとして収集するデータ収集装置３ｆとを備えている。
【００１２】
回転枠３ａは、例えば円環状に形成されている。この回転枠３ａには、Ｘ線照射装置３ｃやＸ線検出装置３ｅなどが固定されている。これにより、Ｘ線照射装置３ｃ及びＸ線検出装置３ｅは、寝台２上の被検体Ｍを間にし、その寝台２上の被検体Ｍの体軸方向に直交する面内で寝台２上の被検体Ｍの周囲（被検体Ｍの体軸周り）を回転する。なお、寝台２の天板２ａは回転枠３ａの枠内に挿入される。
【００１３】
回転駆動部３ｂは撮影装置３の筐体内に設けられている。この回転駆動部３ｂは、制御装置４による制御に応じて、回転枠３ａの回転駆動を行う。例えば、回転駆動部３ｂは、制御装置４から送信された制御信号に基づいて、一方向に所定の回転スピードで回転枠３ａを回転させる。
【００１４】
これらの回転枠３ａ及び回転駆動部３ｂがＸ線照射装置３ｃとＸ線検出装置３ｅとを被検体Ｍを間にして回転させて投影角度を変える回転機構として機能する。ここで、投影角度とは、被検体Ｍに対して撮影（投影）を行う角度である。
【００１５】
Ｘ線照射装置３ｃは、Ｘ線を出射するＸ線管１１と、そのＸ線管１１から出射されたＸ線を絞る絞り部１２とを備えている。このＸ線照射装置３ｃは、Ｘ線管１１によりＸ線を出射し、そのＸ線を絞り部１２により絞って、寝台２上の被検体Ｍに対し、コーン角を持つファンビーム形状、例えば、円錐形状または角錐形状のＸ線を照射する。このようなＸ線照射装置３ｃがＸ線照射手段として機能する。
【００１６】
高電圧発生部３ｄは撮影装置３の筐体内に設けられている。この高電圧発生部３ｄは、Ｘ線照射装置３ｃに供給する高電圧を発生させる装置であり、制御装置４から与えられた電圧を昇圧及び整流し、その電圧をＸ線照射装置３ｃに供給する。なお、制御装置４は、Ｘ線照射装置３ｃに所望のＸ線を発生させるため、高電圧発生部３ｄに与える電圧の波形、すなわち振幅やパルス幅などの各種条件を制御する。
【００１７】
Ｘ線検出装置３ｅはＸ線照射装置３ｃに対向させて回転枠３ａに配置されている。このＸ線検出装置３ｅは、寝台２上の被検体Ｍを透過したＸ線を例えば光学情報に変換し、その光学情報を電気信号に変換してデータ収集装置３ｆに送信する。このようなＸ線検出装置３ｅがＸ線検出手段として機能する。
【００１８】
データ収集装置３ｆは撮影装置３の筐体内に設けられている。このデータ収集装置３ｆは、Ｘ線検出装置３ｅから送信された電気信号をＸ線透過データとして収集し、そのＸ線透過データを制御装置４に送信する。このようなデータ収集装置３ｆがデータ収集手段として機能する。
【００１９】
制御装置４は、各部の駆動を制御する制御部４ａ、Ｘ線透過データを投影データとする前処理やその投影データに対して画像再構成を行う画像再構成処理などを含む画像処理を行う画像処理部４ｂ、医用画像などの各種データ及び各種プログラムを格納する記憶部４ｃ、操作者による入力操作を受け付ける操作部４ｄ及び画像を表示する表示部４ｅなどを備えている。これらの各部４ａ〜４ｅは、バスライン４ｆにより電気的に接続されている。
【００２０】
制御部４ａは、天板駆動部２ｂ、回転駆動部３ｂ及び高電圧発生部３ｄなどの各部の駆動を制御する制御部である。加えて、制御部４ａは、記憶部４ｃの医用画像を表示部４ｅに表示する表示制御も行う。
【００２１】
画像処理部４ｂは、データ収集装置３ｆから送信されたＸ線透過データに対し、前処理や画像再構成処理を含む画像処理を行い、加えて、医用画像を記憶部４ｃに保存する処理部である。この画像処理部４ｂとしては、例えばアレイプロセッサなどを用いる。
【００２２】
記憶部４ｃは、各種プログラムや各種データなどを記憶する記憶装置であって、特に、各種データとして、撮影した医用画像を記憶する記憶装置である。この記憶部４ｃとしては、例えば、ＲＯＭ、ＲＡＭ、フラッシュメモリ及びハードディスクなどを用いる。なお、医用画像のデータは、制御装置４にネットワークを介して接続された画像サーバなどに記憶されるようにしてもよい。
【００２３】
操作部４ｄは、操作者により入力操作される入力部である。この操作部４ｄとしては、例えば、キーボードやマウスなどを用いる。操作者は、操作部４ｄを入力操作して、各種の設定を行ったり、あるいは、撮影装置３による撮影を行ったりする。
【００２４】
表示部４ｅは、被検体の医用画像や操作画面などの各種の画像を表示する表示装置である。この表示部４ｅとしては、例えば、液晶ディスプレイやＣＲＴ（ブラウン管）ディスプレイなどを用いる。
【００２５】
次いで、Ｘ線検出装置３ｅについて詳しく説明する。
【００２６】
図２に示すように、Ｘ線検出装置３ｅは、Ｘ線を検出するＸ線検出素子２１が格子状に配列されて構成されており、Ｘ線照射装置３ｃの焦点スポットＳから出射されたコーンビーム形状のＸ線を検出する。詳しくは、Ｘ線検出装置３ｅは、Ｘ線検出素子２１がチャンネル方向Ａ１に複数（例えば８００〜１３００程度など）並んでいるチャンネル列を列方向Ａ２に沿って複数列（例えば１６列や６４列など）配置して構成された多列多チャンネルのＸ線検出装置である。
【００２７】
Ｘ線検出素子２１は、寝台２上の被検体Ｍを透過したＸ線を検出し、そのＸ線量の検出データ（純正データ）を電流信号として出力する。このＸ線検出素子２１としては、シンチレータなどの蛍光体によりＸ線を光に変換してその光をフォトダイオードなどの光電変換素子により電荷に変化する間接変換型のＸ線検出素子を用いる。
【００２８】
なお、ここでは、間接変換型のＸ線検出素子を用いているが、これに限るものではなく、例えば、Ｘ線による半導体内の電子正孔対の生成及びその電極への移動すなわち光導電現象を利用した直接変換型のＸ線検出素子を用いてもよい。
【００２９】
ここで、被検体Ｍに対するある角度（投影角度）において多列多チャンネルのＸ線検出装置３ｅにより透過Ｘ線を検出することはビュー（ｖｉｅｗ）と称され、Ｘ線照射装置３ｃとＸ線検出装置３ｅとを被検体Ｍの周りに回転させて画像を再構成するために必要な複数ビューの投影データを収集することがスキャン（ｓｃａｎ）と称される。
【００３０】
例えば、１度毎に１ビューの投影データを収集する場合には、１スキャンに３６０ビューの投影データを取得することができ、この３６０ビューの投影データを用いて画像を再構成することになる。この再構成により得られる画像の解像度はビュー数が多いほど高くなる。１スキャンにつき９００ビューの投影データを収集する場合には、０．４度毎に１ビューの投影データを収集し、これを３６０度にわたって順次収集する。
【００３１】
次いで、データ収集装置３ｆについて詳しく説明する。
【００３２】
図３に示すように、データ収集装置３ｆは、複数の第１シフトレジスタ３１、複数の第２シフトレジスタ３２、複数のアンプ３３、複数のＡＤＣ（アナログデジタル変換器）３４及びコントロール回路３５を備えている。
【００３３】
第１シフトレジスタ３１、第２シフトレジスタ３２、アンプ３３及びＡＤＣ３４は列毎に設けられており、第１シフトレジスタ３１及び第２シフトレジスタ３２がアンプ３３に電気的に接続され、アンプ３３がＡＤＣ３４に電気的に接続されている。列毎のＡＤＣ３４がコントロール回路３５に電気的にそれぞれ接続されている。
【００３４】
また、Ｘ線検出素子２１の光電変換素子Ｆ１は、スイッチＳＷを介してアンプ３３に接続されている。この光電変換素子Ｆ１には、キャパシタＣ１が並列に接続されている。奇数チャンネルのスイッチＳＷは、第１シフトレジスタ３１によりオン又はオフされ、偶数チャンネルのスイッチＳＷは、第２シフトレジスタ３２によりオン又はオフされる。
【００３５】
このデータ収集装置３ｆは、各アンプ３３、各ＡＤＣ３４及びコントロール回路３５により、各Ｘ線検出素子２１からの電流信号を電圧信号に変換し、電圧信号をＸ線の照射周期に同期させて周期的に積分して増幅し、デジタル信号に変換して制御装置４の画像処理部４ｂに送信する。
【００３６】
ここで、このようなデータ収集装置３ｆは、列毎の第１シフトレジスタ３１及び第２シフトレジスタ３２を用いて各光電変換素子Ｆ１のスイッチＳＷを制御し、例えば、あるビューでは、第１シフトレジスタ３１に接続された光電変換素子Ｆ１の検出データを順次読み出し、次のビューでは、第２シフトレジスタ３２に接続された光電変換素子Ｆ１の検出データを順次読み出し、読出タイミングの異なる二つの検出素子群を作り出すことができる。
【００３７】
そこで、データ収集装置３ｆは、前述のＸ線検出装置３ｅにおける特定列や特定チャンネルのＸ線検出素子２１からのみ検出データを読み出すことにより、高速ビュー率（ｖｉｅｗ  ｒａｔｅ：例えば１秒当たりの取得ビュー数）に対応する。すなわち、データ収集装置３ｆは、ビュー（投影角度）が変わるごとに、Ｘ線量を読み出す読出対象のＸ線検出素子２１の集合である検出素子群を変え、被検体Ｍを透過したＸ線量をＸ線透過データとして収集する。
【００３８】
例えば、データ収集装置３ｆは、図４に示すように、検出素子群として、Ｘ線検出装置３ｅにおける奇数列（１、３、５、…）のＸ線検出素子２１の集合を第１群（図４中の斜線領域）とし、Ｘ線検出装置３ｅにおける偶数列（２、４、６、…）のＸ線検出素子２１の集合を第２群（図４中の斜線無し領域）とし、Ｘ線検出装置３ｅにより検出された検出データを読み出す読出タイミングで第１群と第２群とを交互に変えて読み出しを行う。データ収集装置３ｆは、例えば、奇数ビューで第１群の各Ｘ線検出素子２１から検出データを読み出し、偶数ビューで第２群の各Ｘ線検出素子２１から検出データを読み出し、この読み出しを繰り返す。
【００３９】
あるいは、データ収集装置３ｆは、図５に示すように、検出素子群として、Ｘ線検出装置３ｅにおける奇数列（１、３、５、…）の偶数チャンネルのＸ線検出素子２１及び偶数列（２、４、６、…）の奇数チャンネルのＸ線検出素子２１の集合を第１群（図５中の斜線領域）とし、Ｘ線検出装置３ｅにおける奇数列の奇数チャンネルのＸ線検出素子２１及び偶数列の偶数チャンネルのＸ線検出素子２１の集合を第２群（図５中の斜線無し領域）とし、Ｘ線検出装置３ｅにより検出された検出データを読み出す読出タイミングで第１群と第２群とを交互に変えて読み出しを行う。例えば、データ収集装置３ｆは、奇数ビューで第１群の各Ｘ線検出素子２１から検出データを読み出し、偶数ビューで第２群の各Ｘ線検出素子２１から検出データを読み出し、この読み出しを繰り返す。
【００４０】
これらの読み出し方法は、操作部４ｄに対する操作者の入力操作により選択可能になっている。なお、読み出し方法は、前述の２つに限られるものではく、奇数ビューで奇数列を読み出し、偶数ビューで偶数列を読み出すようにしてもよく、あるいは、奇数ビューで奇数列の奇数チャンネルと偶数列の偶数チャンネルとを読み出し、偶数ビューで奇数列の偶数チャンネルと偶数列の奇数チャンネルとを読み出すようにしてもよい。また、検出素子群として二つの群に各Ｘ線検出素子２１を分けているが、これに限るものではなく、その数は限定されない。
【００４１】
このようにして、ビュー毎に各検出素子群が交互に読み出されるので、一回に読み出されるＸ線検出素子２１の素子数は全素子数の半分となる。したがって、処理速度（サンプリング速度）を変えない場合には、二倍のビュー率を実現することが可能となるので、ビュー率を上げることができ、一方、ビュー率を変えない場合には、読み込み速度が半分ですむため、データ収集装置３ｆのビット数を増加させることが可能となる。その結果として、システムでのオーバーフローによる画質劣化を防止することができる。さらに、高速読み出しのために高速処理可能なＡＤＣなどの高価なチップを多用する必要がなくなり、サンプリング速度が遅いチップを採用することが可能となるので、コスト上昇を抑えることができる。
【００４２】
ところで、あるビューにおいて、読出対象のＸ線検出素子２１と非読出対象のＸ線検出素子２１とが存在することになるため、画質劣化が懸念される。ただし、この画像劣化はオーバーフローによる画質劣化とは異なり、規則性のある間引きを要因とする規則性のある画質劣化である。
【００４３】
この対策としては、読出対象のＸ線検出素子２１から読み出された検出データを用いて非読出対象のＸ線検出素子２１に対応する検出データを補間する。この補間は、制御装置４の画像処理部４ｂにより行われる。この補間に用いる検出データは、同じ読み取りタイミングにおいて非読出対象のＸ線検出素子２１の周囲に存在する読出対象のＸ線検出素子２１から取得したり、あるいは、異なる読み取りタイミングにおいて非読出対象から読出対象となったＸ線検出素子２１から取得したりする。
【００４４】
例えば、図５に示す読み出しを行う場合、特定列の奇数チャンネルと偶数チャンネルにおいて、図６に示すように、Ｎビューにおいて、図６中の斜線で示すＸ線検出素子２１（２ｉ、２ｉ＋２、２ｉ＋４）の検出データが読み出されたとすると、図６中の斜線無しで示すＸ線検出素子２１（２ｉ＋１、２ｉ＋３）の検出データが補間される。この補間には、例えば、異なる読出タイミングで読み出した検出データが用いられる。
【００４５】
図６における一例として、Ｎビューの丸印で囲まれるＸ線検出素子２１（２ｉ＋３）の検出データを補間する場合について説明すると、Ｎビューの丸印で囲まれるＸ線検出素子２１に対応する検出データは、（Ｎ−１）ビューの丸印で囲まれるＸ線検出素子２１から読み出された検出データと、（Ｎ＋１）ビューの丸印で囲まれるＸ線検出素子２１から読み出された検出データとの両方あるいは一方が用いられて生成される。
【００４６】
なお、ここでは、（Ｎ−１）ビューと（Ｎ＋１）ビューで補間に用いるＸ線検出素子２１のチャンネルを、Ｎビューで補間されるＸ線検出素子２１のチャンネルと同一にしているが、これに限るものではなく、他のチャンネルを用いるようにしてもよい。
【００４７】
ここで、図６の加算結果状態をＸ線入射方向から見ると、図７に示すような状態であり、チャンネル方向Ａ１と同様、列方向Ａ２にも検出データがずれることがある。これを防止するためには、焦点位置（焦点スポットＳ）をシフトするフライングフォーカスによって、焦点位置を例えば前後のビューの焦点位置に合わせることで、Ｎビューと前後のビューとの焦点位置を一致させることが可能となる。これにより、精度の高い補間を行うことができる。なお、フライングフォーカスでは、Ｘ線照射装置３ｃを機械的にシフト移動させて焦点位置をシフトする。
【００４８】
例えば、焦点位置が異なる読出タイミングでチャンネル方向Ａ１及び列方向Ａ２ともに同一位置となるようにフライングフォーカスにより制御され、同じ焦点位置での検出データにおいて、補間対象のＸ線検出素子２１の近傍に位置する複数のＸ線検出素子２１の各々の検出データが補間対象のＸ線検出素子２１との各距離に応じて重みがつけられて用いられる。これにより、精度の高い補間を行うことができる。
【００４９】
また、図５に示す読み出しを行う場合、特定列の奇数チャンネルと偶数チャンネルにおいては、図８に示すように、読出タイミングがずれて検出データが間引かれるが、光電変換素子Ｆ１内での積分（検出）は継続しているため、照射されたＸ線で無駄になる部分はなく、読み出していない素子分（照射面積の半分）の余分な被曝を被検体Ｍに与えることを防止することができる。
【００５０】
以上説明したように、本発明の実施の形態によれば、ビュー（投影角度）が変わるごとに、Ｘ線量を読み出すＸ線検出素子２１の検出素子群を変え、被検体Ｍを透過したＸ線量をＸ線透過データとして収集するデータ収集装置３ｆを設けることによって、検出素子群毎にＸ線量、すなわち検出データが読み出されるので、一回のビューに読み出されるＸ線検出素子２１の素子数は全素子数に比べ小さくなる。
【００５１】
これにより、処理速度やビュー率を変えなくても、スキャン時のオーバーフローの発生が防止され、有効ビット数が減少することがなくなる。また、データ収集装置３ｆの高速読み出しを実現するためにより高速処理可能なＡＤＣなどの高価なチップを多用する必要もなくなる。それらの結果として、オーバーフローによる画質劣化及び高速読出実現によるコスト上昇を抑えることができる。
【００５２】
また、非読出対象のＸ線検出素子２１に対応する検出データを読出対象のＸ線検出素子２１から同じ読出タイミングあるいは異なる読出タイミングで読み出された検出データを用いて補間することによって、データ数減少による画質劣化を防止することができる。
【００５３】
なお、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。また、前述の実施の形態においては、各種の数値を挙げているが、それらの数値は例示であり、限定されるものではない。
【図面の簡単な説明】
【００５４】
【図１】本発明の実施の一形態に係るＸ線ＣＴ装置の概略構成を示す模式図である。
【図２】図１に示すＸ線ＣＴ装置が備えるＸ線検出装置の概略構成を示す斜視図である。
【図３】図１に示すＸ線ＣＴ装置が備えるデータ収集装置の概略構成を示す模式図である。
【図４】図２に示すＸ線検出装置に対する第１読み取りを説明するための説明図である。
【図５】図２に示すＸ線検出装置に対する第２読み取りを説明するための説明図である。
【図６】図５に示す第２読み取りに関するデータ補間を説明するための説明図である。
【図７】図５に示す第２読み取りに関するデータ補間を説明するための説明図である。
【図８】図５に示す第２読み取りに関する特定列における奇数チャンネルと偶数チャンネルとの読出タイミングを説明するための説明図である。
【符号の説明】
【００５５】
１      Ｘ線ＣＴ装置
３ａ    回転枠
３ｂ    回転駆動部
３ｃ    Ｘ線照射装置
３ｅ    Ｘ線検出装置
３ｆ    データ収集装置
２１    Ｘ線検出素子
Ｍ      被検体
【図１】
2010115350.tif 000003
【図２】
2010115350.tif 000004
【図３】
2010115350.tif 000005
【図４】
2010115350.tif 000006
【図５】
2010115350.tif 000007
【図６】
2010115350.tif 000008
【図７】
2010115350.tif 000009
【図８】
2010115350.tif 000010